(57)【要約】【課題】冷却加温システムを備えた自動販売機で、逆止弁での漏れを防ぐことができる自動販売機を提供する【解決手段】冷却運転時に冷媒を減圧するキャピラリーチューブ１９と加温運転時に冷媒を減圧するキャピラリーチューブ２０、２１と、冷却運転時にのみ冷媒を通過する逆止弁１７と加温運転時にのみ冷媒を通過させる逆止弁１８とを備えており、逆止弁１８をキャピラリーチューブ２０とキャピラリーチューブ２１の間に配置することで冷却運転時における逆止弁１８手前での冷媒流速を速くすることができるので、逆止弁が閉じやすくなり、漏れを防ぐことができる。【選択図】図１
2010267059.tif 000002
【特許請求の範囲】
【請求項１】
庫内に配置された庫内熱交換器と、前記庫内の下方に配置した機械室の圧縮機と、庫外熱交換器と、流路を切替える流路切替弁と、キャピラリーチューブとを環状に接続する冷却加温システムの冷媒の流路を切り替えることで、前記庫内に投入された商品を冷却または加温する自動販売機において、前記キャピラリーチューブは並列接続され、接続された一方の配管経路には冷却時に冷媒を減圧する冷却用キャピラリーチューブと冷却時にのみ冷媒を通過させる第１逆止弁とを備え、接続された他方の経路には加温時に冷媒を減圧する加温用キャピラリーチューブと加温時時にのみ冷媒を通過させる第２逆止弁とを備え、前記加温用キャピラリーチューブは前記第２逆止弁の上流と下流に分割して配置したことを特徴とする自動販売機。
【請求項２】
第２逆止弁の下流側に設けた加温用キャピラリーチューブの抵抗を上流側に設けたキャピラリーチューブの抵抗よりも大きくしたことを特徴とする請求項１に記載の自動販売機。
【請求項３】
冷却加温システムの庫外熱交換器での熱交換をする庫外ファンを備え、前記冷却加温システムで冷却運転を行う際に、前記冷却加温システムの圧縮機が起動してから所定時間、前記庫外ファンを停止することを特徴とする請求項１または２に記載の自動販売機。
【請求項４】
冷却加温システムの庫内熱交換器での熱交換をする庫内ファンを備え、前記冷却加温システムで加温運転を行う際に、前記冷却加温システムの圧縮機が起動してから所定時間、前記庫内ファンを停止することを特徴とする請求項１から３のいずれか一項に記載の自動販売機。
【発明の詳細な説明】
【技術分野】
【０００１】
本発明は、缶飲料などを冷却加温して販売する自動販売機において、圧縮機で圧縮された冷媒が凝縮する際に生じる潜熱を利用して冷却および加温を行う冷却加温システムとそれを用いた自動販売機に関するものである
【背景技術】
【０００２】
近年、自動販売機に対する消費電力削減の要求が高まってきており、消費電力を削減する手段としてヒートポンプで加温を行うシステムを利用したものが提案されている。（特許文献１参照）
図５は、特許文献１に示す自動販売機の冷媒回路図を示すものである。
【０００３】
図５に示すように、従来の自動販売機は、収納する商品を冷却する冷却庫３７と収納する商品を冷却または加温する冷却加温庫３８、３９とを備え、また、商品収納庫と区画壁で上下方向に分けて区画形成された機械室を備えている。従来の自動販売機は冷却加温庫３９内に配置した室内熱交換器５０と環状に接続される機械室に配置した第１圧縮機５３と第１熱交換器５４（庫外熱交換器）と冷媒の流路を切替える流路切替弁５５などで構成された冷却加温サイクルと、冷却庫３７に配置した蒸発器４７、冷却加温庫３８内に配置した蒸発器４８と環状に接続される機械室に配置した第２圧縮機５６と凝縮器５７と蒸発器４７、４８への冷媒の流路を切替える三方弁５８で構成された冷却サイクルによって構成される。
【０００４】
また流路切替弁５５は４つの切替弁で構成されており、冷却加温庫３９が冷却される時、冷媒流路として開かれる高圧側冷却用切替弁５５ａと低圧側冷却用切替弁５５ｂを備え、冷却加温庫３９が加温される時、冷媒流路として開かれる高圧側加温用切替弁５５ｃと低圧側加温用切替弁５５ｄを備えている。
【０００５】
また、流路切替弁５５と室内熱交換器５０との間には、流路切替弁５５ａの動作により冷却加温庫３９が冷却される場合にのみ冷媒が流れる配管経路にはドライヤ１００、第１逆止弁１０１、第１液管（第１キャピラリーチューブ）５９とが接続され、流路切替弁５５ｃの動作により冷却加温庫３９が加温される場合にのみ冷媒が流れる配管経路には、第２液管（第２キャピラリーチューブ）６０、第２逆止弁１０２が接続されている。
【０００６】
冷却加温庫３９の冷却時には蒸発器として作用する室内熱交換器５０から流路切替弁５５ｂの方向に冷媒が流れて第１圧縮機５３に戻り、加温時には第１圧縮機５３から吐出された冷媒は流路切替弁５５ｃを通過して凝縮器として作用する室内熱交換器５０の方向に冷媒が流れ、流路切替弁５５ｂおよび５５ｃと室内熱交換器５０とを接続するガス管６１（接続配管）が構成されている。
【０００７】
また、図６に特許文献１に示す自動販売機の冷却加温システムの接続配管と第１キャピラリーチューブと第２キャピラリーチューブの配管構成を表した要部斜視図を示すものである。
【０００８】
図６に示すように、接続配管６１と第１キャピラリーチューブ５９とは流路切替弁５５と室内熱交換器５０までの間において、はんだ等で全長にわたって密着固定されており、さらに周囲をウレタンフォームなどの断熱部材６２で囲っている。また第２キャピラリーチューブ６０は接続配管６１や第１キャピラリーチューブ５９と接触させて固定されておらず、接続配管６１と熱交換しないように断熱部材６２で断熱して、バンディングチュー
ブ６３等で、断熱部材６２の外側に固定して構成している。
【０００９】
以上のように構成された自動販売機について、以下その動作について説明する。
【００１０】
まず、冷却加温庫３９が冷却される場合、冷却加温庫３９は高圧側冷却用切替弁５５ａと低圧側冷却用切替弁５５ｂが開放され、他の切替弁５５ｃ、５５ｄが閉じた状態で第１熱交換器５４が凝縮器として、室内熱交換器５０が蒸発器として作用し、冷却庫３９として形成される。冷媒は圧縮機で圧縮され高温高圧の気体となり、切替弁５５ａを介して第１熱交換器５４で液化され、切替弁５５ｂの動作により流路が確保される第１キャピラリーチューブ５９を通り、減圧されながら室内熱交換器５０に流れ、そこで冷却庫３９内から熱を吸収することで蒸発し、ガス管６１と通じて切替弁５５ｂを介して圧縮機へと戻る。
【００１１】
次に冷却加温庫３９が加温庫３９に設定された場合、すなわち冷却加温庫３９は高圧側加温用切替弁５５ｃと低圧側加温用切替弁５５ｄが開放され、他の切替弁５５ａ、５５ｂが閉じた状態で第１熱交換器５４が蒸発器として、室内熱交換器５０が凝縮器として作用し、加温庫３９として形成される。冷媒は圧縮機５３で圧縮され、高温高圧の気体となり、切替弁５５ｃを介して接続配管６１を通り、室内熱交換器５０へと流れ込み加温庫３９への放熱により液化され、切替弁５５ｄの動作により流路が確保される第２キャピラリーチューブ６０を通り、減圧されながら第１熱交換器５４に流れ、そこで外気から熱を吸収することで蒸発し、圧縮機へと戻る。
【００１２】
まず、冷却加温庫３９が冷却される場合に、高温の第１キャピラリーチューブ５９と低温の接続配管６１が密着されているため、第１キャピラリーチューブ５９は接続配管６１によって冷やされて、第１熱交換器５４の凝縮作用により液冷媒となった冷媒はさらに接続配管６１によって過冷却液となって室内熱交換器５０へと流れていくので冷却時の効率を高めることができる。
【００１３】
また、冷却加温庫３９を加温する場合に、高温の接続配管６１と低温の第２キャピラリーチューブ６０は断熱部材６２により断熱されているため、接続配管６１から第２キャピラリーチューブ６０への熱移動はなく、第１圧縮機５３から吐出された冷媒ガスの温度を低下させないように断熱部材６２により放熱を抑えて室内熱交換器５０へ運ばれるため、加温庫３９の加温効率を高めることができる。
【００１４】
また、第２キャピラリーチューブ６０自体にも別の断熱材を巻きつけて、バンディングチューブ６３で、断熱部材６２の外側に固定することで、さらに第２キャピラリーチューブ６０と接続配管６１との熱交換を抑制し、さらに第２キャピラリーチューブ６０の配管表面の傷つきを防止することができる。また、断熱部材以外に傷つきを防止する被覆層で覆っても良い。
【先行技術文献】
【特許文献】
【００１５】
【特許文献１】特開２００８−２８２１２４号公報
【発明の概要】
【発明が解決しようとする課題】
【００１６】
しかしながら、上記従来の構成では、キャピラリーチューブを庫内熱交換器側に配置し、逆止弁を庫外熱交換器側に配置しているために、冷却運転を行う際に、加温時に冷媒が通過する第２逆止弁の手前での冷媒の状態が液冷媒となる。液冷媒となることで冷媒の流速が遅くなり、そのために逆止弁が閉じにくくなって、冷媒が漏れやすくなる恐れがある
。冷媒が漏れることで冷媒循環量が増し、蒸発温度が高くなる。そのことで鈍冷現象を招くという課題を有していた。
【課題を解決するための手段】
【００１７】
上記従来の課題を解決するために、本発明の自動販売機は、庫内に配置された庫内熱交換器と、前記庫内の下方に配置した機械室の圧縮機と、庫外熱交換器と、流路を切替える流路切替弁と、キャピラリーチューブとを環状に接続する冷却加温システムの冷媒の流路を切り替えることで、前記庫内に投入された商品を冷却または加温する自動販売機において、前記キャピラリーチューブは並列接続され、接続された一方の配管経路には冷却時に冷媒を減圧する冷却用キャピラリーチューブと冷却時にのみ冷媒を通過させる第１逆止弁とを備え、接続された他方の経路には加温時に冷媒を減圧する加温用キャピラリーチューブと加温時時にのみ冷媒を通過させる第２逆止弁とを備え、前記加温用キャピラリーチューブは前記第２逆止弁の上流と下流に分割して配置したことにより、第２逆止弁の手前での減圧により液冷媒状態を抑制し、第２逆止弁での動作を確実にすることができる。
【発明の効果】
【００１８】
本発明の自動販売機は、第２逆止弁での動作を確実にすることができ、冷却加温システムでの逆止弁部での冷媒漏れを防ぐことができる。
【図面の簡単な説明】
【００１９】
【図１】本発明の実施の形態１における自動販売機の冷媒回路図
【図２】本発明の実施の形態１における加温運転を行う際のシステム動作図
【図３】本発明の実施の形態１における冷却運転を行う際のシステム動作図
【図４】本発明の実施の形態２における自動販売機の冷媒回路図
【図５】従来の自動販売機における冷媒回路図
【図６】従来の自動販売機における接続配管を表した要部斜視図
【発明を実施するための形態】
【００２０】
請求項１に記載の発明は、庫内に配置された庫内熱交換器と、前記庫内の下方に配置した機械室の圧縮機と、庫外熱交換器と、流路を切替える流路切替弁と、キャピラリーチューブとを環状に接続する冷却加温システムの冷媒の流路を切り替えることで、前記庫内に投入された商品を冷却または加温する自動販売機において、前記キャピラリーチューブは並列接続され、接続された一方の配管経路には冷却時に冷媒を減圧する冷却用キャピラリーチューブと冷却時にのみ冷媒を通過させる第１逆止弁とを備え、接続された他方の経路には加温時に冷媒を減圧する加温用キャピラリーチューブと加温時時にのみ冷媒を通過させる第２逆止弁とを備え、前記加温用キャピラリーチューブは前記第２逆止弁の上流と下流に分割して配置したものであり、第２逆止弁の手前での減圧により液冷媒状態を抑制し、第２逆止弁での動作を確実にすることができ、冷却加温システムでの逆止弁部での冷媒漏れを防ぐことができる。
【００２１】
請求項２に記載の発明は、請求項１に記載の発明において、第２逆止弁の下流側に設けた加温用キャピラリーチューブの抵抗を上流側に設けたキャピラリーチューブの抵抗よりも大きくしたものであり、冷媒を通過させない側の逆止弁手前でより大きく冷媒を減圧することができるので冷媒の乾き度が増すことから冷媒流速はさらに早くなり、より逆止弁が閉じやすくなる。
【００２２】
請求項３に記載の発明は、請求項１または２に記載の発明において、冷却加温システムの庫外熱交換器での熱交換をする庫外ファンを備え、前記冷却加温システムで冷却運転を行う際に、前記冷却加温システムの圧縮機が起動してから所定時間、前記庫外ファンを停止するものであり、圧縮機の起動時において、庫外熱交換器での熱交換量が減少すること
から、庫外熱交換器出口での冷媒の乾き度が増すので冷媒流速がより速くなり、逆止弁がより閉じやすくなる。
【００２３】
請求項４に記載の発明は、請求項１から３のいずれか一項に記載の発明において、冷却加温システムの庫内熱交換器での熱交換をする庫内ファンを備え、前記冷却加温システムで加温運転を行う際に、前記冷却加温システムの圧縮機が起動してから所定時間、前記庫内ファンを停止するものであり、冷却加温システムで加温運転を行う際に庫内熱交換器での熱交換量が減少することで、庫内熱交換器出口での冷媒の乾き度が増すので冷媒流速がより速くなり、逆止弁がより閉じやすくなる。
【００２４】
以下、本発明の実施の形態について、図面を参照しながら説明するが、その詳細な説明は省略する。なお、この実施の形態によってこの発明が限定されるものではない。
【００２５】
（実施の形態１）
図１は実施の形態１における冷媒回路図、図２は加温運転時における冷却加温システムのシステム動作図、図３は冷却運転時における冷却加温システムのシステム動作図を示す。
【００２６】
図１において、本実施の形態における自動販売機は、商品収納庫１と商品収納庫１の下部に配置された機械室（図示せず）とを有する。商品収納庫１内は、内部に断熱材を充填した区画壁２と３により３室に区画形成され、区画壁２の左側に収納する商品を冷却する冷却庫４、区画壁２と３の間に位置する収納する商品を冷却または加温する冷却加温庫５、区画壁３の右側に位置する収納する商品を冷却または加温する冷却加温庫６とを有する。また、それぞれの庫内には商品収納棚（図示せず）が商品収納庫１の上部に吊り下げられており、商品が内部に収納されている。また、冷却庫４の下部には蒸発器１２、冷却加温庫５の下部には蒸発器１３と加温時に通電する電気ヒータ２８、冷却加温庫６の下部には庫内熱交換器２２と庫内熱交換器の補助として電気ヒータ２９を備える。また、冷却庫４、冷却加温庫５、６にはそれぞれ庫内ファン２５、２６、２７があり、強制送風して庫内空気を循環している。
【００２７】
また、本実施の形態の自動販売機は、第１の圧縮機７と凝縮器８と蒸発器１２、蒸発器１３と冷媒の流路を切り替える三方弁９と減圧機構であるキャピラリーチューブ１０、１１からなる冷却庫４、冷却加温庫５を冷却する冷却システム３０と、第２の圧縮機１４と庫外熱交換器１５と庫内熱交換器２２、冷媒の流路を切替える四方弁２３とドライヤ１６と逆止弁１７、１８と通過する冷媒を減圧するキャピラリーチューブ１９、２０、２１からなる冷却加温システム３１とを備えている。
【００２８】
ここで、四方弁２３には第２の圧縮機１４の吐出配管、吸入配管と庫外熱交換器１５、庫内熱交換器２２とが接続されており、第２の圧縮機の吐出配管、吸入配管と連通する庫外、庫内の熱交換器を切り替えることで冷却運転と加温運転とを切り替える。
【００２９】
また、冷却加温庫６が冷却される時に冷媒が通過する配管経路にはドライヤ１６と第１逆止弁１７、冷却用キャピラリーチューブ１９が接続されており、冷却加温庫６が加温される時に冷媒が通過する配管経路には第２逆止弁１８と、第２逆止弁１８の上流側に加温用第１キャピラリーチューブ２０と、下流側に加温用第２キャピラリーチューブ２１とが接続されている。そして、第１逆止弁１７は庫外熱交換器１５側から庫内熱交換器２２側へと冷媒が流れる方向に接続されており、第２逆止弁１８は庫内熱交換器２２側から庫外熱交換器１５側へと冷媒が流れる方向に接続されている。
【００３０】
なお、第２逆止弁の下流側の加温用第２キャピラリーチューブ２１の抵抗を、上流側の
加温用第１キャピラリーチューブ２０の抵抗よりも大きく設定している。
【００３１】
また、凝縮器８、庫外熱交換器１５近傍には熱交換を促進するための庫外ファン２４を備えている。
【００３２】
以上のように構成された自動販売機について、以下その動作、作用を説明する。
【００３３】
まず、冷却加温庫６を加温する場合、第２の圧縮機１４の吐出配管と庫内熱交換器２２とが連通し、庫外熱交換器１５と第２の圧縮機１４の吸入配管とが連通するよう四方弁２３を動作する。そうすることで第２の圧縮機１４から吐出された冷媒は、四方弁２３を通過して庫内熱交換器２２へと向かい、凝縮液化する。凝縮した液冷媒は、加温用第１キャピラリーチューブ２０で減圧されてから第２逆止弁１８を通過して、さらに加温用第２キャピラリーチューブ２１で減圧されてから庫外熱交換器１５へと供給されて蒸発気化し、四方弁２３を通過して第２の圧縮機１４へと還流する。
【００３４】
その際に、冷媒が通過しない第１逆止弁１７の手前で冷却用キャピラリーチューブ１９によって減圧されることで冷媒の乾き度が増し、そのことによって冷媒流速がより速くなり、第１逆止弁１７が閉じやすくなって冷媒が漏れにくくなる。
【００３５】
また、その際に図２に示すように第２の圧縮機１４が起動してから所定の時間庫内ファン２７を停止することで、庫内熱交換器２２での熱交換量が減少し、さらに冷媒の乾き度が増すのでより冷媒流速が速くなり、より第１逆止弁１７で漏れにくくなる。
【００３６】
次に、冷却加温室６を冷却する場合、第２の圧縮機１４の吐出配管と庫外熱交換器１５とが連通し、庫内熱交換器２２と第２の圧縮機１４の吸入配管とが連通するよう四方弁２３を動作する。そうすることで第２の圧縮機１４から吐出された冷媒は、四方弁２３を通過して庫外熱交換器１５へと向かい、凝縮液化する。凝縮した液冷媒は、ドライヤ１６、第１逆止弁１７を通過してから冷却用キャピラリーチューブ１９で減圧されて庫内熱交換器２２へと供給されて蒸発気化し、四方弁２３を通過して第２の圧縮機１４へと還流する。
【００３７】
その際に、冷媒が通過しない第２逆止弁１８の手前で加温用第２キャピラリーチューブ２１によって冷媒が減圧されることで、第２逆止弁１８の手前での冷媒の乾き度が増し、そのことによって冷媒流速がより速くなり、第２逆止弁１８がより閉じやすくなって、冷媒が漏れにくくなる。
【００３８】
さらに、加温用第１キャピラリーチューブ２０と加温用第２キャピラリーチューブ２１とに分割して第２逆止弁１８の前後に配置することで、加温用キャピラリーチューブの１本のみにする場合と比べて、加温運転時に第２逆止弁１８を冷却加温庫６内に配置することなく庫内熱交換器２２を通過した直後から冷媒を減圧することができるので冷媒量を少なくすることができ、可燃性冷媒を用いたときにおける冷媒が漏洩した際などの安全性を高めることができる。
【００３９】
また、その際に図３に示すように第２の圧縮機１４が起動してから所定の時間庫外ファン２４を停止することで、庫外熱交換器１５での熱交換量が減少し、さらに冷媒の乾き度が増すのでより冷媒流速が速くなり、より第２逆止弁１８での漏れを防ぐことができる。
【００４０】
また、第２逆止弁の下流側の加温用第２キャピラリーチューブ２１の抵抗を、上流側の加温用第１キャピラリーチューブ２０の抵抗よりも大きく設定しているので、第２逆止弁１８手前での冷媒の乾き度がより高くなり、より第２逆止弁１８が閉じやすくなる。
【００４１】
（実施の形態２）
図４は、本発明の実施の形態２における冷媒回路図を示す。なお、先に説明した実施の形態と同一の構成については同一符号を付して、その詳細な説明は省略する。
【００４２】
図４において、本実施の形態における自動販売機は、第１の圧縮機７と凝縮器８と蒸発器１２、蒸発器１３と冷媒の流路を切り替える三方弁９と減圧機構であるキャピラリーチューブ１０、１１からなる冷却庫４、冷却加温庫５を冷却する冷却システム３０と、第２の圧縮機１４と庫外熱交換器１５と庫内熱交換器２２、冷媒の流路を切替える電磁弁３２とドライヤ１６と逆止弁１７、１８と通過する冷媒を減圧する冷却用キャピラリーチューブ１９、および加温用第１キャピラリーチューブ３３ａと加温用第２キャピラリーチューブ３３ｂからなる冷却加温システム３４とを備える。
【００４３】
ここで、冷却加温システム３４の冷媒流路を切替える電磁弁３２は、第２の圧縮機１４の吐出配管からの流路を切替える電磁弁３２ａ、３２ｂと第２の圧縮機１４の吸入配管への流路を切替える電磁弁３２ｃ、３２ｄとで構成される。
【００４４】
また、冷却加温庫６が冷却される時に冷媒が通過する配管経路にはドライヤ１６と第１逆止弁１７、冷却用キャピラリーチューブ１９が接続され、冷却加温庫６が加温される時に冷媒が通過する配管経路には第２逆止弁１８の上流側と下流側に分割して加温用第１キャピラリーチューブ３３ａと加温用第２キャピラリーチューブ３３ｂが接続されており、第１逆止弁１７は庫外熱交換器１５側から庫内熱交換器２２側へと冷媒が流れる方向に接続されており、第２逆止弁１８は庫内熱交換器２２側から庫外熱交換器１５側へと冷媒が流れる方向に接続されている。
【００４５】
また、第２逆止弁１８の下流側接続配管は、電磁弁３２ａと庫外熱交換器１５とを接続する配管と連通するよう接続されている。
【００４６】
以上のように構成された自動販売機について、以下のその動作、作用を説明する。
【００４７】
まず、冷却加温庫６を加温する場合、電磁弁３２ｂ、３２ｄを開き、電磁弁３２ａ、３２ｃを閉じる。そうすることで、第２の圧縮機１４から吐出された冷媒は、電磁弁３２ｂを通過した後に庫内熱交換器２２へと向かい凝縮液化する。凝縮した液冷媒は加温用第１キャピラリーチューブ３３ａにて減圧された後に、第２逆止弁１８を通過して、さらに加温用第２キャピラリーチューブ３３ｂで減圧され、庫外熱交換器１５に供給されて蒸発気化し、その後、電磁弁３２ｄを通過して第２の圧縮機１４へと還流する。
【００４８】
その際に、冷媒が通過しない第１逆止弁１７の手前で冷却用キャピラリーチューブ１９によって減圧されることで冷媒の乾き度が増し、そのことによって冷媒流速がより速くなり、第１逆止弁１７が閉じやすくなって冷媒が漏れにくくなる。
【００４９】
次に、冷却加温庫６を冷却する場合、電磁弁３２ａ、３２ｃを開き、電磁弁３２ｂ、３２ｄを閉じる。そうすることで、第２の圧縮機１４から吐出された冷媒は、電磁弁３２ａを通過した後に、庫外熱交換器１５にて凝縮液化する。凝縮した液冷媒はドライヤ１６、第１逆止弁１７を通過した後に冷却用キャピラリーチューブ１９にて減圧されて庫内熱交換器２２へと供給されて蒸発気化し、その後、電磁弁３２ｃを通過して第２の圧縮機１４へと還流する。
【００５０】
その際に、第２逆止弁１８の下流側接続配管は、電磁弁３２ａと庫外熱交換器１５とを接続する配管と連通するよう接続されているので、第２逆止弁１８の下流側は庫外熱交換
器１５の入り口と同様、気体の状態であり、冷媒流速が速いことから第２逆止弁１８の弁が閉じやすくなり、冷媒が漏れにくくなる。さらに、万が一、第２逆止弁１８が故障や異物のかみこみなどで閉じなくなった際においても、冷媒の状態が気体であることから加温用キャピラリーチューブ３３ａ、３３ｂでの通過抵抗は液体の状態よりも非常に大きくなり、キャピラリーチューブ３３ａ、３３ｂの通過冷媒量は少なくなるので、影響を最小限にすることが可能となる。
【００５１】
なお、本実施の形態における加温用キャピラリーチューブ３３ａ、３３ｂのうち、第２逆止弁１８の下流側に配置している加温用第２キャピラリーチューブ３３ｂを省略してもよい。この場合、冷却運転時における第２逆止弁１８の下流側の冷媒の状態は、電磁弁３２ａと庫外熱交換器１５とを接続する配管と連通しているので、気体の状態であることによるものである。これにより低コスト化を図ることができる。
【産業上の利用可能性】
【００５２】
以上のように、本発明にかかる自動販売機は、ヒートポンプを利用する際の逆止弁における冷媒の漏れ防ぐことができるので、逆止弁を備えた冷温切替システムを有する冷却加温装置などの用途にも適用できる。
【符号の説明】
【００５３】
６  冷却加温庫
１４  第２の圧縮機
１５  庫外熱交換器
１７  第１逆止弁
１８  第２逆止弁
１９  冷却用キャピラリーチューブ
２０  加温用第１キャピラリーチューブ
２１  加温用第２キャピラリーチューブ
２２  庫内熱交換器
２３  流路切替弁
２４  庫外ファン
２７  庫内ファン
３２ａ、３２ｂ、３２ｃ、３２ｄ  電磁弁
３３ａ  加温用第１キャピラリーチューブ
３３ｂ  加温用第２キャピラリーチューブ
【図１】
2010267059.tif 000003
【図２】
2010267059.tif 000004
【図３】
2010267059.tif 000005
【図４】
2010267059.tif 000006
【図５】
2010267059.tif 000007
【図６】
2010267059.tif 000008